(57)【要約】【課題】  感光材料フィルム等のフィルムをホログラム原版等の基板表面に、連続的に、張り付け、複製、剥離できるようにするシステム。【解決手段】  フィルム１を供給するフィルム供給部３２、フィルム張り付け基体３５に対して供給されたフィルム１を連続して張り付けるフィルム張り付け部３７、基体３５から張り付けられたフィルムを連続して剥離するフィルム剥離部３７′、剥離されたフィルムを巻き取るフィルム巻き取り部４３からなり、基体３５へフィルム１をラミネートするとき気泡等のだき込みがなく、また、基体３５からフィルム１を剥離するとき、スジ等の剥離ムラが発生しない。本発明は、ホログラム複製装置、凹凸レリーフ模様複製装置、微小検体サンプル作製装置等に適する。【選択図】        図６
2006011489.tif 000002
【特許請求の範囲】
【請求項１】
フィルムを供給するフィルム供給部、フィルム張り付け基体に対して供給されたフィルムを連続して張り付けるフィルム張り付け部、フィルム張り付け基体から張り付けられたフィルムを連続して剥離するフィルム剥離部、剥離されたフィルムを巻き取るフィルム巻き取り部からなることを特徴とする連続的フィルムラミネート及び剥離システム。
【請求項２】
前記フィルムは支持フィルムが一面に積層されてなるものであり、前記フィルム供給部から供給されたフィルムから前記支持フィルムを剥離する支持フィルム剥離部が前記フィルム供給部と前記フィルム張り付け部の間に配置され、また、前記フィルム張り付け基体から剥離されたフィルムの剥離面に保護フィルムを順次貼り付ける保護フィルム貼り付け部が前記フィルム剥離部と前記フィルム巻き取り部の間に配置されていることを特徴とする請求項１記載の連続的フィルムラミネート及び剥離システム。
【請求項３】
前記フィルムが感光材料の両面を支持体フィルムで挟んでなる感光材料フィルムからなり、前記フィルム張り付け基体が被複製ホログラム原版からなり、前記支持フィルム剥離部が前記感光材料フィルムの被複製ホログラム原版側の支持体フィルムを剥離するように配置され、かつ、前記被複製ホログラム原版に張り付けられた前記感光材料フィルムに前記被複製ホログラム原版を光学的に複製するホログラム光学複製部が設けられていることを特徴とする請求項２記載の連続的フィルムラミネート及び剥離システム。
【請求項４】
前記被複製ホログラム原版がシリンダーの円筒面に張り付けられており、かつ、前記被複製ホログラム原版のホログラムの表面が離型性を有する基材で保護されていることを特徴とする請求項３記載の連続的フィルムラミネート及び剥離システム。
【請求項５】
前記被複製ホログラム原版のホログラム層が、それぞれ異なる回折波長あるいは回折角度を有する複数の層からなり、それら層の間及び上下の層との間にバリア層が設けられていることを特徴とする請求項３記載の連続的フィルムラミネート及び剥離システム。
【請求項６】
前記フィルム供給部から供給される前記感光材料フィルムに付着した異物を取り除くためのクリーニング用粘着ローラー、又は、静電気による異物付着を防ぐ静電気除去装置の少なくとも一方を有することを特徴とする請求項３記載の連続的フィルムラミネート及び剥離システム。
【請求項７】
前記ホログラム光学複製部での光学的な複製と同時にもしくはそれに先立って、前記感光材料フィルムに前記感光材料フィルムが感光する光をパターン状に照射して、前記感光材料フィルムの感光性をパターン状に失わせるトリミング手段が設けられていることを特徴とする請求項３記載の連続的フィルムラミネート及び剥離システム。
【請求項８】
前記ホログラム光学複製部での光学的な複製後に、前記感光材料フィルムの前記被複製ホログラム原版への粘着性を小さくする一様露光手段が設けられていることを特徴とする請求項３記載の連続的フィルムラミネート及び剥離システム。
【請求項９】
前記保護フィルムが一面に接着層又は粘着層を有する保護フィルムからなり、前記保護フィルム貼り付け部において、前記保護フィルムの接着層又は粘着層を前記フィルム張り付け基体から剥離されたフィルムの剥離面に向けて貼り付けることを特徴とする請求項３記載の連続的フィルムラミネート及び剥離システム。
【請求項１０】
前記保護フィルム貼り付け部と前記フィルム巻き取り部の間に、前記保護フィルムに電離放射線を照射する電離放射線照射部が配置されていることを特徴とする請求項３記載の連続的フィルムラミネート及び剥離システム。
【発明の詳細な説明】
【技術分野】
【０００１】
本発明は、連続的フィルムラミネート及び剥離システムに関し、特に、複製型、ホログラム原版等の基板表面に型取りフィルム、感光材料フィルム、粘着フィルム等のフィルムを連続的に張り付け、剥離するシステムに関する。
【背景技術】
【０００２】
以下、特に、ホログラムの複製方法を例にあげて従来技術について説明する。
【０００３】
従来、ホログラム原版と感光材料とを密着させ、レーザー光を照射して、原版からの回折光と入射光とを密着された感光材料中で干渉させ、原版のホログラム像を感光材料中に記録することにより、ホログラム原版を複製することが行われている。この場合、感光材料の裏面反射成分による像の乱れを防止するために、原版と感光材料間に屈折率がほぼ等しい光学密着液を介在させ、密着性を良くして裏面反射を防止して、ホログラム像を複製するようにしている。
【０００４】
ところで、ホログラム原版と感光材料との間に介在される光学密着液はドロドロした液体であり、その流動性、厚みのむら、振動等により均一な厚みにならず、特に、密着液の量が多い場合には、その流動により良好なホログラムの複製ができないという問題があった。また、ホログラムの複製をクリーンルームで行ったとしても、１０μｍ以下のゴミが混入する場合があり、ゴミが混入したまま複製を行うと、ゴミ付近を中心として光学密着液の流動やゴミによるフィルムの浮き上がりによって、複製に支障をきたすという問題があった。
【０００５】
そこで、特願平４−３２７９１８号のように、ゴミを埋め込んで複製欠陥の発生を抑制するクッション層を用いた複製方法及び装置が考案されたが、耐久性等の面でなお問題点があった。
【０００６】
特願平５−２１２９５４号には、このような従来技術の問題点に鑑みて、感光材料フィルム等のフィルムをホログラム原版等の基板表面に連続的に確実に密着し、剥離するシステムが開示されている。
【０００７】
以下、この出願の発明を、ホログラムの複製を例にあげて説明するが、その説明から明らかなように、この発明のシステムは、ホログラムの複製に限定されず、レリーフ模様の複製、微小検体のサンプル作製等に適用できることは明らかであろう。
【０００８】
ホログラムの複製は、図１（ａ）に示すように、感光材料フィルム１をホログラム原版５上に屈折率がほぼ等しい光学密着液６を介在させて密着させ、感光材料フィルム１側（又は、後記するように、ホログラム原版５側）からレーザー光７を入射させ、この光７と原版５からの回折光８とを密着された感光材料フィルム１中で干渉させて行われるが、ホログラム記録用のフォトポリマー等からなる感光材料フィルム１は、通常、支持体フィルム３／感光材料２／支持体フィルム４の３層構成となっており、密着の際、微小なゴミ９が混入すると、ゴミ９付近を中心として光学密着液６の流動やゴミ９によるフィルム１の浮き上がりによって、複製欠陥が発生してしまう。
【０００９】
そこで、原版５側の支持体フィルム３を剥離して、粘弾性体である感光材料層２を露出させ、図１（ｂ）に示すように、この感光材料層２を直接原版５の上に張り合わせることにより、層２中にゴミ粒子９等を埋め込んで複製欠陥の発生を抑制することができる。
【００１０】
もちろん、この際、支持体フィルム３、４上にあったゴミ粒子等は粘着ローラー等により取り除くことが望ましく、また、支持体フィルム３剥離時に発生する静電気によるゴミ粒子等の吸着を抑えるために、静電気除去装置（イオン風吹き付け、コロナ放電等）を付加することが望ましい。
【００１１】
ところが、特願平５−２１２９５４号においては、原版が平面状であるため、原理的に間欠送りでの複製となっていた。
【発明の開示】
【発明が解決しようとする課題】
【００１２】
本発明は上記の本出願人の提案に係る特願平５−２１２９５４号の間欠的な複製しかできない問題点を解決するためになされたものであり、その目的は、ホログラム原版等の基板表面をシリンダー形状にして、感光材料フィルム等のフィルムをホログラム原版等の基板表面に、連続的に、張り付け、複製、剥離できるようにすることである。
【課題を解決するための手段】
【００１３】
上記目的を達成するために、本発明においては、ホログラム原版５は、シリンダーの円筒面に張り付けられており、かつ、そのホログラムの表面が離型性を有する基材で保護されているものである。
【００１４】
ホログラム原版５としては、銀塩材料、重クロム酸ゼラチン、フォトポリマー材料等のフレキシブルな基材からなるものが適用可能である。その素材としては、ホログラム記録用の感光材料フィルム１の屈折率に近く、複屈折性の少ないものからなる材料が好ましい。
【００１５】
ところで、図１（ｂ）のように、一方の支持体フィルム３を剥離した感光材料フィルム１を直接原版シリンダー５上に張り合わせる際、気泡等のだき込みはそのまま複製欠陥となるので、本発明に基づいて、ローラーで感光材料フィルム１を順次密着させる。圧着させるローラー径及びフィルムのパスは、図２（ａ）に示すような系よりも、図２（ｂ）に示しように、ローラー１０の径がより小さく、フィルム１の巻き込み角θの大きな系の方が望ましい。すなわち、ローラー１０の径は１００ｍｍφ以下の小口径のものが望ましく、好ましくは５０ｍｍφ程度のものがよい。その際、ローラー１０のたわみが生じる場合があるので、更にその上から大口径のローラーで圧力を加えるとよい。また、フィルム１の巻き込み角θも９０°以上が望ましく、ローラー１０のプレス圧０．１ｋｇｆ／ｃｍ2 以上、フィルム１の張力０．１ｋｇｆ／ｃｍ以上と、ローラー１０のプレス圧、フィルム１の張力も大きい方が望ましい。
【００１６】
また、レーザー光を照射して原版５複製するときには、入射光の裏面反射等のノイズを除去する目的で、無反射コートガラス等を使用とすることが望ましい。ホログラム原版５が反射型の場合は、図３（ａ）に層構成を示すように、レーザー光７入射側から、無反射コートガラス１１、光学密着液１２、支持体フィルム４、感光材料２、ホログラム原版５、光吸収材料１３の順の層構成で、また、ホログラム原版５が透過型の場合は、図３（ｂ）に示すように、無反射コートガラス１１、ホログラム原版５、感光材料２、支持体フィルム４の順の層構成で光学複製を行うことが望ましい。ここで、支持体フィルム４は光吸収性フィルムもしくは無反射コートフィルムを用いるとよい。なお、反射型の場合は、光吸収材料１３の代わりに無反射コートガラス１１を配置し、原版５透過光を裏面反射しないようにしてもよい。
【００１７】
また、レーザー光７による光学複製に先立って、紫外光のように感光材料２を感光させる電離放射線を、感光材料２の複製すべき領域外に照射することにより、トリミング処理（複製すべき領域外を充分感光させ、レーザー光７による感光性を失わせる。）を行う電離放射線マスキング装置を付加することが望ましい。
【００１８】
なお、以上のようなレーザー光７による光学複製後、原版５から複製フィルム１を剥離する際、複製フィルム１の粘着性を低下させるための電離放射線露光照射装置が必要である。これは、前工程の電離放射線マスキング装置において、トリミングマスクを取り外して、マスキングの際に用いる紫外光を全面に照射させるようにすればよい。なお、原版５自身の粘着性も低下させるため、原版５の複製フィルム１が密着する表面をフッ素系離型剤、シリコーン系離型剤等で予め離型処理をしておくことが望ましい。
【００１９】
ところで、原版５から複製フィルム１を剥離する方法として、単にその一端を上側へ引き上げたのでは、面内に剥離の速度差が生じ、剥離が止まるか遅い位置で剥離前線に沿ってスジ等の剥離ムラが発生してしまい、折角良好になされた複製に欠陥が生じる。すなわち、図４（ａ）に示すように、複製フィルム１の一端から上側へ引き上げると、最初は図の（１）の位置まで急激に剥離され、その位置で剥離が一旦止まり、次に、今度は図の（２）の位置まで急激に剥離される。このような連続的でない剥離が行われると、この場合、（１）及び（２）の位置の複製フィルム１にスジが付いてしまう。これを抑えるためには、本発明に基づいて、図４（ｂ）に示すように、圧着時（図２）と同様に、ローラー１８で複製フィルム１を押さえながら順次剥離するのが望ましい。
【００２０】
このようにして剥離した複製フィルム１は感光材料２面が露出しているので、これを巻き取るには、感光材料２面側に保護シートを貼り合わせる必要がある。そのためには、図４（ｂ）に示すように、一面に接着層又は粘着層を有する保護フィルム２０をローラー１８と反対に回転するローラー１９を経て剥離された複製フィルム１にその接着層又は粘着層を向けて貼り付けるようにする。この場合、複製フィルム１に保護フィルム２０を貼り合わせた後、その接着力を上げるために電離放射線処理を必要とする場合があり、そのような場合は、電離放射線照射装置を設ける必要がある。なお、保護フィルム２０を離型性の高いものとすることにより、複製フィルム１をシールタイプにすることができる。
【００２１】
以上、本発明の連続的フィルムラミネート及び剥離システムをホログラム複製装置に適用した場合を例にあげて説明してきたが、本発明は、例えば原版５として回折格子、フレネルレンズ等の凹凸レリーフ模様を有するものとし、フィルム１として紫外線硬化樹脂層等のレリーフ模様を複製できる樹脂層を有するものとして、その凹凸レリーフ模様を複製する装置に適用することもできる。また、原版５として基板を用い、その上に微生物試料等の微小検体を載せ、また、フィルム１として透明粘着層を有するものとして、その微小検体を透明粘着層中に埋め込んでサンプルを作製する装置に適用することもできる。
【００２２】
以上の説明から明らかなように、本発明の連続的フィルムラミネート及び剥離システムは、フィルムを供給するフィルム供給部、フィルム張り付け基体に対して供給されたフィルムを連続して張り付けるフィルム張り付け部、フィルム張り付け基体から張り付けられたフィルムを連続して剥離するフィルム剥離部、剥離されたフィルムを巻き取るフィルム巻き取り部からなることを特徴とするシステムである。
【００２３】
この場合、上記フィルムは支持フィルムが一面に積層されてなるものであり、フィルム供給部から供給されたフィルムから支持フィルムを剥離する支持フィルム剥離部がフィルム供給部とフィルム張り付け部の間に配置され、また、フィルム張り付け基体から剥離されたフィルムの剥離面に保護フィルムを順次貼り付ける保護フィルム貼り付け部がフィルム剥離部とフィルム巻き取り部の間に配置されていることが望ましい。
【００２４】
また、本発明において、上記フィルムとして、感光材料の両面を支持体フィルムで挟んでなる感光材料フィルムを用い、フィルム張り付け基体として、被複製ホログラム原版を用い、支持フィルム剥離部が感光材料フィルムの被複製ホログラム原版側の支持体フィルムを剥離するように配置され、かつ、被複製ホログラム原版に張り付けられた感光材料フィルムに被複製ホログラム原版を光学的に複製するホログラム光学複製部を設けることにより、良好なホログラム複製を行うことができる。
【００２５】
このホログラム複製用の場合、被複製ホログラム原版はシリンダーの円筒面に張り付けられており、かつ、被複製ホログラム原版のホログラムの表面が離型性を有する基材で保護されている。被複製ホログラム原版は、離型層／保護基材／接着剤層／ホログラム層／接着剤層／保護基材／光吸収層／接着剤層／（シリンダー）、離型層／保護基材／接着剤層／ホログラム層／接着剤層／保護基材／光吸収層／接着剤層／着色ガラス（シート）／接着剤層／（シリンダー）の順で一部もしくは全部が積層されてなることが望ましい。
【００２６】
また、被複製ホログラム原版のホログラム層が、それぞれ異なる回折波長あるいは回折角度を有する複数の層からなり、それら層の間及び上下の層との間にバリア層が設けられているものであってもよい。
【００２７】
また、フィルム供給部から供給される前記感光材料フィルムに付着した異物を取り除くためのクリーニング用粘着ローラー、又は、静電気による異物付着を防ぐ静電気除去装置の少なくとも一方を有することが望ましい。
【００２８】
さらに、ホログラム光学複製部での光学的な複製と同時にもしくはそれに先立って、感光材料フィルムに感光材料フィルムが感光する光をパターン状に照射して、感光材料フィルムの感光性をパターン状に失わせるトリミング手段を設けることが望ましい。
【００２９】
また、ホログラム光学複製部での光学的な複製後に、感光材料フィルムの被複製ホログラム原版への粘着性を小さくする一様露光手段を設けるようにしてもよい。
【００３０】
また、保護フィルムが一面に接着層又は粘着層を有する保護フィルムからなり、保護フィルム貼り付け部において、この保護フィルムの接着層又は粘着層をフィルム張り付け基体から剥離されたフィルムの剥離面に向けて貼り付けるようにすることが望ましい。
【００３１】
また、保護フィルム貼り付け部とフィルム巻き取り部の間に、保護フィルムに電離放射線を照射する電離放射線照射部を配置することもできる。
【発明の効果】
【００３２】
本発明においては、フィルムを供給するフィルム供給部、フィルム張り付け基体に対して供給されたフィルムを連続して張り付けるフィルム張り付け部、フィルム張り付け基体から張り付けられたフィルムを連続して剥離するフィルム剥離部、剥離されたフィルムを巻き取るフィルム巻き取り部からなるので、基体へフィルムをラミネートするとき気泡等のだき込みがなく、また、基体からフィルムを剥離するとき、スジ等の剥離ムラが発生せず、かつ、この一連の動作を連続して行なうことが可能なものである。
【発明を実施するための最良の形態】
【００３３】
以下、本発明の連続的フィルムラミネート及び剥離システムの実施例について説明する。この実施例は、本発明をホログラム複製装置に適用した実施例である。
【００３４】
〔実施例１〕
図５に示すような光学系を用いて、リップマンホログラム（反射型ホログラム）原版を撮影する。すなわち、Ａｒレーザー２１を用い、それから発振された光はハーフミラー２２で２つの光束に分割され、一方の光はミラー２３、レンズ２４を経てピンホール２５に集光され、ピンホール２５から出射した発散光は感光材料２６の一方の側から斜めに入射される。また、分割された他方の光は、ミラー２７、２８、レンズ２９を経てピンホール３０に集光され、ピンホール３０から出射した発散光はコリメートレンズ３１で拡大した平行光になり、感光材料２６の他方の側から入射され、両方の光束は感光材料２６中で干渉し、その中に記録される。感光材料２６としては、米国デュポン社製Ｏｍｎｉｄｅｘ−３５２ホログラフィック記録フィルムを用いる。露光量は、Ａｒレーザー２１からの波長５１４ｎｍの光で３０ｍＪ／ｃｍ2 である。露光後、ホログラムが記録された感光材料２６に超高圧水銀灯で１００ｍＪ／ｃｍ2 の均一露光をし、２枚のトリアセチルセルロースフィルム間に光学接着剤（米国ノーランド社製ＮＯＡ−６１）で封止し、ホログラム原版３５とする。そして、このホログラム原版３５の複製用感光材料フィルムが密着される面をフッ素系離型剤、シリコーン系離型剤等で離型処理をしておく。
【００３５】
次に、図６（ａ）に示すような複製装置にこのホログラム原版３５を組み込む。この装置において、複製用感光材料フィルム１として、同図（ｂ）（１）に断面を示すように、支持体フィルム３／感光材料２／支持体フィルム４の３層構成のＯｍｎｉｄｅｘ−３５２ホログラフィック記録フィルムを用いる。また、保護フィルム５０として、同図（ｂ）（３）に断面を示すように、５０μｍ厚ＰＥＴ（ポリエチレンテレフタレート）５１／１μｍ厚光学接着剤（米国ノーランド社製ＮＯＡ−６１）５２／５０μｍ厚ＰＥＴ５３からなる保護フィルムを用いる。
【００３６】
この装置の構成を作用と共に説明すると、まず、複製用感光材料フィルム１がセットされた巻き出しローラー３２から送り出されたフィルム１は、１つのニップローラを構成するクリーナーローラー４４を通ってクリーニングされ、別のニップローラを構成する支持体フィルム剥離ローラー３３で片面の支持体フィルム３を剥離する。剥離された支持体フィルム３は巻き取りローラー３４で巻き取られる。一方、感光材料２面の露出したフィルム１は、圧着ローラー３７により原版シリンダー３５に張り付けられる。
【００３７】
その後、図示しない超高圧水銀灯からの紫外光４６をクロムトリミングマスクを通して投影露光することにより、感光材料２のラミネート領域の中心部のみを遮光し、それ以外の周囲部分に３０ｍＪ／ｃｍ2 の量で露光して感光性を失わせ、トリミング（マスキング）を行う。
【００３８】
次に、原版撮影時と共役なＡｒレーザー光４７をフィルム１側から原版シリンダー３５に照射し（照射量：３０ｍＪ／ｃｍ2 ）て複製を行う。
【００３９】
次に、剥離ローラー３７′で原版シリンダー３５から複製フィルム１を剥離する。レーザー光露光部と剥離ローラー３７′の間に一様に紫外線露光を行うＵＶ露光部４６′により紫外線露光を行い、剥離を容易にする。
【００４０】
次に、複製フィルム１の感光材料２面側に、接着層５２付き保護フィルム５０を更に別のニップローラーを構成するラミネートローラー３８で貼り合わせる。この際、巻き出しローラー４０から供給される保護フィルム５０のカバーシート５１（５０μｍ厚ＰＥＴ）は、剥離ローラー３９で剥離され、巻き取りローラー４１に巻き取られる。
【００４１】
保護フィルム５０を貼り合わせた複製フィルム１は、搬送用の別のニップローラー５４を経て紫外線照射器４２に入り、超高圧水銀灯からの紫外光を１００ｍＪ／ｃｍ2 の量露光された後、巻き取りローラー４３に巻き取られる。なお、剥離ローラー３３及び３９で発生する静電気を除去するために、それぞれの位置に帯電防止装置が取り付けられている。
【００４２】
このような装置において、図６（ａ）の（１）〜（５）における感光材料フィルム１、保護フィルム５０及びそれらを貼り合わせた状態の層構成は、同図（ｂ）のようになっている。なお、シートにカットした最終製品のカバーシート５３を剥離することにより、ホログラムシールとして物品に接着することができる。
【００４３】
以上のような構成のホログラム複製装置を用いると、ゴミ、気泡等の異物による複製欠陥の発生がなく、また、剥離ムラのない良好な複製ホログラムを連続的に効率よく作製することができる。
【００４４】
〔実施例２〕
図７に示すような光学系を用いて、フルカラーリップマンホログラム（反射型ホログラム）原版を作製する。まず、離型処理を施した５ｍｍ厚ガラス（原版保護ガラス）に米国デュポン社製Ｏｍｎｉｄｅｘ−７０５ホログラフィック記録フィルムをカバーシートを剥離してラミネートし、その後、そのホログラフィック記録フィルムのベースシートを剥離して、その面上に５μｍ厚ＰＶＡ（ポリビニルアルコール）フィルム（無延伸のものが望ましい。）をラミネートし、その積層体をインデックスマッチング液（キシレンが望ましい。）を介して無反射コート処理を施したガラス２枚で挟み込み、撮影乾板（感光材料）２６として、図示の位置にセットする。光学系は図５の場合とほぼ同様であるが、この場合はフルカラーのホログラムを撮影するため、３つのレーザーを用いる。すなわち、Ｒ用光源としてＫｒレーザー７１（６４７ｎｍ）を、Ｇ用光源としてＡｒレーザーを励起用レーザー７４とした色素レーザー７２（５７６ｎｍ）を、Ｂ用光源としてＡｒレーザー７３（４５８ｎｍ）を用い、これらからのレーザー光を１つの光路に合成するために、全反射ミラー７５及びダイクロイックミラー７６、７７を用いる。図示の配置の場合、ダイクロイックミラー７６は裏面に無反射コートを施した赤色狭帯域ミラーであり、ダイクロイックミラー７７は裏面に無反射コートを施した波長５００ｎｍ以上の光のみを選択的に反射するミラーであるが、レーザー７１〜７３の配置は図示のものに限定されず変更可能であり、その場合、全反射ミラー７５、ダイクロイックミラー７６、７７の配置及び反射帯域は変更する必要がある。
【００４５】
このような配置で、まずＫｒレーザー光（６４７ｎｍ）のみを使用してホログラムを記録する。露光エネルギーは３０ｍＪ／ｃｍ2 で、露光後、超高圧水銀灯で１００ｍＪ／ｃｍ2 の均一露光をする。次に、無反射コートガラス２枚を取り外し、インデックスマッチング液を乾燥させた後、ＰＶＡ膜面上に、前記と同様の方法でＯｍｎｉｄｅｘ−７０５、ＰＶＡ層を順次積層し、再度無反射ガラス２枚で挟み込み、撮影乾板２６とする。
【００４６】
レーザー光を色素レーザー光（５７６ｎｍ）に切り換え、同様に３０ｍＪ／ｃｍ2 均一露光し、超高圧水銀灯の均一露光をする。さらに、同様の工程を繰り返し、レーザー光をＡｒレーザー光（４５８ｎｍ）に切り換え、３回目の露光を行う。均一露光後、無反射ガラスを外し、インデックスマッチング液を乾燥後、５ｍｍ厚ガラスから剥離し、２枚のトリアセチルセルロースフィルムに光学接着剤（米国ノーランド社製ＮＯＡ−６１）を介して接着する。
【００４７】
さらに、一方のトリアセチルセルロースフィルムの表面を黒スプレー（ＳＳＰスプレー黒、アトム化学塗料（株）製）を均一に塗布、乾燥し、ハレーション防止層とする。また、他のトリアセチルセルロースフィルムの表面は、シリコーン系離型剤（ＫＥ４２ＴＳ’、信越シリコーン（株）製）を塗布し離型層とする。これを被複製原版３５とする。
【００４８】
次に、図６（ａ）に示すような複製装置にこのホログラム原版３５を組み込む。この装置において、複製用感光材料フィルム１として、同図（ｂ）（１）に断面を示すように、支持体フィルム３／感光材料２／支持体フィルム４の３層構成のＯｍｎｉｄｅｘ−７０５ホログラフィック記録フィルムを用いる。また、保護フィルム５０として、同図（ｂ）（３）に断面を示すように、５０μｍ厚ＰＥＴ（ポリエチレンテレフタレート）５１／１μｍ厚光学接着剤（米国ノーランド社製ＮＯＡ−６１）５２／５０μｍ厚ＰＥＴ５３からなる保護フィルムを用いる。
【００４９】
この装置の構成を作用と共に説明すると、まず、複製用感光材料フィルム１がセットされた巻き出しローラー３２から送り出されたフィルム１は、１つのニップローラを構成するクリーナーローラー４４を通ってクリーニングされ、別のニップローラを構成する支持体フィルム剥離ローラー３３で片面の支持体フィルム３を剥離する。剥離された支持体フィルム３は巻き取りローラー３４で巻き取られる。一方、感光材料２面の露出したフィルム１は、圧着ローラー３７により原版シリンダー３５に張り付けられる。
【００５０】
その後、図示しない超高圧水銀灯からの紫外光４６をクロムトリミングマスクを通して投影露光することにより、感光材料２のラミネート領域の中心部のみを遮光し、それ以外の周囲部分に３０ｍＪ／ｃｍ2 の量で露光して感光性を失わせ、トリミング（マスキング）を行う。
【００５１】
次に、原版撮影時と共役なＡｒレーザー光、Ｋｒレーザー光、色素レーザー光４７をフィルム１側から原版シリンダー３５に順に照射し（照射量：３０ｍＪ／ｃｍ2 ）て複製を行う。
【００５２】
次に、剥離ローラー３７′で原版シリンダー３５から複製フィルム１を剥離する。レーザー光露光部と剥離ローラー３７′の間に一様に紫外線露光を行うＵＶ露光部４６′により紫外線露光を行い、剥離を容易にする。
【００５３】
次に、複製フィルム１の感光材料２面側に、接着層５２付き保護フィルム５０を更に別のニップローラーを構成するラミネートローラー３８で貼り合わせる。この際、巻き出しローラー４０から供給される保護フィルム５０のカバーシート５１（５０μｍ厚ＰＥＴ）は、剥離ローラー３９で剥離され、巻き取りローラー４１に巻き取られる。
【００５４】
保護フィルム５０を貼り合わせた複製フィルム１は、搬送用の別のニップローラー５４を経て紫外線照射器４２に入り、超高圧水銀灯からの紫外光を１００ｍＪ／ｃｍ2 の量露光された後、巻き取りローラー４３に巻き取られる。なお、剥離ローラー３３及び３９で発生する静電気を除去するために、それぞれの位置に帯電防止装置が取り付けられている。
【００５５】
このような装置において、図６（ａ）の（１）〜（５）における感光材料フィルム１、保護フィルム５０及びそれらを貼り合わせた状態の層構成は、同図（ｂ）のようになっている。なお、シートにカットした最終製品のカバーシート５３を剥離することにより、ホログラムシールとして物品に接着することができる。
【００５６】
以上、本発明の連続的フィルムラミネート及び剥離システムをホログラム複製装置に適用した実施例について説明してきたが、本発明はこの実施例に限定されず種々の変形が可能であると共に、その他の種々の用途に適用可能である。
【００５７】
以上の説明から明らかなように、本発明の連続的フィルムラミネート及び剥離システムにおいては、フィルムを供給するフィルム供給部、フィルム張り付け基体に対して供給されたフィルムを連続して張り付けるフィルム張り付け部、フィルム張り付け基体から張り付けられたフィルムを連続して剥離するフィルム剥離部、剥離されたフィルムを巻き取るフィルム巻き取り部からなるので、基体へフィルムをラミネートするとき気泡等のだき込みがなく、また、基体からフィルムを剥離するとき、スジ等の剥離ムラが発生せず、かつ、この一連の動作を連続して行なうことが可能なものである。したがって、本発明のシステムは、ホログラム複製装置、凹凸レリーフ模様複製装置、微小検体サンプル作製装置等に適したものである。
【図面の簡単な説明】
【００５８】
【図１】ホログラム複製方法を説明するための図である。
【図２】本発明に基づくフィルムラミネート方法を説明するための図である。
【図３】ホログラム複製の際の層構成を示す図である。
【図４】本発明に基づくフィルム剥離方法を説明するための図である。
【図５】本発明の１実施例におけるホログラム原版撮影光学系の構成を示す図である。
【図６】本発明の１実施例におけるホログラム複製装置の構成を示す図である。
【図７】本発明の別の実施例におけるホログラム原版撮影光学系の構成を示す図である。
【符号の説明】
【００５９】
１…感光材料フィルム
２…感光材料
３…支持体フィルム
４…支持体フィルム
５…ホログラム原版（原版シリンダー）
６…光学密着液
７…レーザー光
８…回折光
９…ゴミ
１０…ローラー
１１…無反射コートガラス
１２…光学密着液
１３…光吸収材料
１８…ローラー
１９…ローラー
２０…保護フィルム
２１…Ａｒレーザー
２２…ハーフミラー
２３…ミラー
２４…レンズ
２５…ピンホール
２６…感光材料
２７、２８…ミラー
２９…レンズ
３０…ピンホール
３１…コリメートレンズ
３２…巻き出しローラー
３３…支持体フィルム剥離ローラー
３４…巻き取りローラー
３５…ホログラム原版（原版シリンダー）
３７…圧着ローラー
３７′…剥離ローラー
３８…ラミネートローラー
３９…剥離ローラー
４０…巻き出しローラー
４１…巻き取りローラー
４２…紫外線照射器
４３…巻き取りローラー
４４…クリーナーローラー
４６…紫外光
４６′…ＵＶ露光部
４７…Ａｒレーザー光
５０…保護フィルム
５１…カバーシート
５２…接着層
５３…カバーシート
５４…ニップローラー
７１…Ｋｒレーザー
７２…色素レーザー
７３…Ａｒレーザー
７４…励起用レーザー
７５…全反射ミラー
７６、７７…ダイクロイックミラー
【図１】
2006011489.tif 000003
【図２】
2006011489.tif 000004
【図３】
2006011489.tif 000005
【図４】
2006011489.tif 000006
【図５】
2006011489.tif 000007
【図６】
2006011489.tif 000008
【図７】
2006011489.tif 000009
【手続補正書】
【提出日】平成17年10月7日(2005.10.7)
【手続補正１】
【補正対象書類名】特許請求の範囲
【補正対象項目名】全文
【補正方法】変更
【補正の内容】
【特許請求の範囲】
【請求項１】
複製されるホログラムがシリンダーの円筒面に張り付けられてなり連続的に回転する円筒状のホログラム原版に、両面を支持体フィルムで挟んでなる感光材料フィルムから前記ホログラム原版側の支持体フィルムを剥離しながら前記感光材料フィルムを連続的に供給し、連続的に供給された前記感光材料フィルムを前記ホログラム原版に一方の支持体フィルムが剥離されて露出した面で連続的に圧着しながら張り付け、前記感光材料フィルムが張り付けられた側から複製用のレーザー光を連続的に照射して前記ホログラム原版に記録されたホログラムを前記感光材料フィルムに連続的に複製し、複製後の前記感光材料フィルムを前記ホログラム原版から前記感光材料フィルムが張り付けられた前記ホログラム原版に圧着されている剥離ローラを介して連続的に剥離し、前記ホログラム原版から連続的に剥離された前記感光材料フィルムの剥離面上に連続的に供給された保護フィルムを連続的に貼り付け、その後ホログラムが複製され、保護フィルムが貼り付けられた前記感光材料フィルムを連続的に巻き取ることを特徴とするホログラムの複製方法。
【請求項２】
前記ホログラム原版のホログラムの表面が離型性を有する基材で保護されていることを特徴とする請求項１記載のホログラムの複製方法。
【請求項３】
前記ホログラム原版のホログラムが、それぞれ異なる回折波長あるいは回折角度を有する複数の層からなり、それら層の間及び上下の層との間にバリア層が設けられていることを特徴とする請求項１又は２記載のホログラムの複製方法。
【請求項４】
前記感光材料フィルムがフォトポリマーからなることを特徴とすることを特徴とする請求項１から３の何れか１項記載のホログラムの複製方法。
【請求項５】
両面を支持体フィルムで挟んでなる前記感光材料フィルムから前記ホログラム原版側の支持体フィルムを剥離しながら前記感光材料フィルムを連続的に供給する際に、供給される前記感光材料フィルムに付着した異物を取り除くためのクリーニング用粘着ローラー、又は、静電気による異物付着を防ぐ静電気除去装置の少なくとも一方を介在させることを特徴とする請求項１から４の何れか１項記載のホログラムの複製方法。
【請求項６】
前記複製用のレーザー光を連続的に照射して前記ホログラム原版に記録されたホログラムを前記感光材料フィルムに連続的に複製すると同時にもしくはそれに先立って、前記感光材料フィルムに前記感光材料フィルムが感光する光をパターン状に照射して、前記感光材料フィルムの感光性をパターン状に失わせるトリミングを行うことを特徴とする請求項１から５の何れか１項記載のホログラムの複製方法。
【請求項７】
前記複製用のレーザー光を連続的に照射して前記ホログラム原版に記録されたホログラムを前記感光材料フィルムに連続的に複製した後に、前記感光材料フィルムの前記ホログラム原版への粘着性を小さくする一様露光を行うことを特徴とする特徴とする請求項１から６の何れか１項記載のホログラムの複製方法。
【請求項８】
前記保護フィルムが一面に接着層又は粘着層を有する保護フィルムからなり、前記ホログラム原版から連続的に剥離された前記感光材料フィルムの剥離面上に連続的に前記保護フィルムを供給して貼り付ける際に、前記保護フィルムの接着層又は粘着層を前記感光材料フィルムの剥離面に向けて貼り付けることを特徴とする請求項１から７の何れか１項記載のホログラムの複製方法。
【請求項９】
前記保護フィルムが貼り付けられた前記感光材料フィルムを連続的に巻き取る前に、前記保護フィルムに電離放射線を照射することを特徴とする請求項１から８の何れか１項記載のホログラムの複製方法。
【手続補正２】
【補正対象書類名】明細書
【補正対象項目名】全文
【補正方法】変更
【補正の内容】
【発明の詳細な説明】
【技術分野】
【０００１】
本発明は、ホログラムの複製方法に関し、特に、ホログラム原版の表面に感光材料フィルムを連続的に張り付け、複製、剥離するホログラムの複製方法に関する。
【背景技術】
【０００２】
従来、ホログラム原版と感光材料とを密着させ、レーザー光を照射して、原版からの回折光と入射光とを密着された感光材料中で干渉させ、原版のホログラム像を感光材料中に記録することにより、ホログラム原版を複製することが行われている。この場合、感光材料の裏面反射成分による像の乱れを防止するために、原版と感光材料間に屈折率がほぼ等しい光学密着液を介在させ、密着性を良くして裏面反射を防止して、ホログラム像を複製するようにしている。
【０００３】
ところで、ホログラム原版と感光材料との間に介在される光学密着液はドロドロした液体であり、その流動性、厚みのむら、振動等により均一な厚みにならず、特に、密着液の量が多い場合には、その流動により良好なホログラムの複製ができないという問題があった。また、ホログラムの複製をクリーンルームで行ったとしても、１０μｍ以下のゴミが混入する場合があり、ゴミが混入したまま複製を行うと、ゴミ付近を中心として光学密着液の流動やゴミによるフィルムの浮き上がりによって、複製に支障をきたすという問題があった。
【０００４】
そこで、特願平４−３２７９１８号のように、ゴミを埋め込んで複製欠陥の発生を抑制するクッション層を用いた複製方法及び装置が考案されたが、耐久性等の面でなお問題点があった。
【０００５】
特願平５−２１２９５４号には、このような従来技術の問題点に鑑みて、感光材料フィルム等のフィルムをホログラム原版等の基板表面に連続的に確実に密着し、剥離するシステムが開示されている。
【０００６】
ホログラムの複製は、図１（ａ）に示すように、感光材料フィルム１をホログラム原版５上に屈折率がほぼ等しい光学密着液６を介在させて密着させ、感光材料フィルム１側（又は、後記するように、ホログラム原版５側）からレーザー光７を入射させ、この光７と原版５からの回折光８とを密着された感光材料フィルム１中で干渉させて行われるが、ホログラム記録用のフォトポリマーからなる感光材料フィルム１は、通常、支持体フィルム３／感光材料２／支持体フィルム４の３層構成となっており、密着の際、微小なゴミ９が混入すると、ゴミ９付近を中心として光学密着液６の流動やゴミ９によるフィルム１の浮き上がりによって、複製欠陥が発生してしまう。
【０００７】
そこで、原版５側の支持体フィルム３を剥離して、粘弾性体である感光材料層２を露出させ、図１（ｂ）に示すように、この感光材料層２を直接原版５の上に張り合わせることにより、層２中にゴミ粒子９等を埋め込んで複製欠陥の発生を抑制することができる。
【０００８】
もちろん、この際、支持体フィルム３、４上にあったゴミ粒子等は粘着ローラー等により取り除くことが望ましく、また、支持体フィルム３剥離時に発生する静電気によるゴミ粒子等の吸着を抑えるために、静電気除去装置（イオン風吹き付け、コロナ放電等）を付加することが望ましい。
【０００９】
ところが、特願平５−２１２９５４号においては、原版が平面状であるため、原理的に間欠送りでの複製となっていた。
【発明の開示】
【発明が解決しようとする課題】
【００１０】
本発明は上記の本出願人の提案に係る特願平５−２１２９５４号の間欠的な複製しかできない問題点を解決するためになされたものであり、その目的は、ホログラム原版表面をシリンダー形状にして、感光材料フィルムをホログラム原版表面に、連続的に、張り付け、複製、剥離できるようにすることである。
【課題を解決するための手段】
【００１１】
上記目的を達成するために、本発明においては、ホログラム原版５は、シリンダーの円筒面に張り付けられており、かつ、そのホログラムの表面が離型性を有する基材で保護されているものである。
【００１２】
ホログラム原版５としては、銀塩材料、重クロム酸ゼラチン、フォトポリマー材料等のフレキシブルな基材からなるものが適用可能である。その素材としては、ホログラム記録用の感光材料フィルム１の屈折率に近く、複屈折性の少ないものからなる材料が好ましい。
【００１３】
ところで、図１（ｂ）のように、一方の支持体フィルム３を剥離した感光材料フィルム１を直接原版シリンダー５上に張り合わせる際、気泡等のだき込みはそのまま複製欠陥となるので、本発明に基づいて、ローラーで感光材料フィルム１を順次密着させる。圧着させるローラー径及びフィルムのパスは、図２（ａ）に示すような系よりも、図２（ｂ）に示しように、ローラー１０の径がより小さく、フィルム１の巻き込み角θの大きな系の方が望ましい。すなわち、ローラー１０の径は１００ｍｍφ以下の小口径のものが望ましく、好ましくは５０ｍｍφ程度のものがよい。その際、ローラー１０のたわみが生じる場合があるので、更にその上から大口径のローラーで圧力を加えるとよい。また、フィルム１の巻き込み角θも９０°以上が望ましく、ローラー１０のプレス圧０．１ｋｇｆ／ｃｍ2 以上、フィルム１の張力０．１ｋｇｆ／ｃｍ以上と、ローラー１０のプレス圧、フィルム１の張力も大きい方が望ましい。
【００１４】
また、レーザー光を照射して原版５を複製するときには、入射光の裏面反射等のノイズを除去する目的で、無反射コートガラス等を使用とすることが望ましい。ホログラム原版５が反射型の場合は、図３（ａ）に層構成を示すように、レーザー光７入射側から、無反射コートガラス１１、光学密着液１２、支持体フィルム４、感光材料２、ホログラム原版５、光吸収材料１３の順の層構成で、また、ホログラム原版５が透過型の場合は、図３（ｂ）に示すように、無反射コートガラス１１、ホログラム原版５、感光材料２、支持体フィルム４の順の層構成で光学複製を行うことが望ましい。ここで、支持体フィルム４は光吸収性フィルムもしくは無反射コートフィルムを用いるとよい。なお、反射型の場合は、光吸収材料１３の代わりに無反射コートガラス１１を配置し、原版５透過光を裏面反射しないようにしてもよい。
【００１５】
また、レーザー光７による光学複製に先立って、紫外光のように感光材料２を感光させる電離放射線を、感光材料２の複製すべき領域外に照射することにより、トリミング処理（複製すべき領域外を充分感光させ、レーザー光７による感光性を失わせる。）を行う電離放射線マスキング装置を付加することが望ましい。
【００１６】
なお、以上のようなレーザー光７による光学複製後、原版５から複製フィルム１を剥離する際、複製フィルム１の粘着性を低下させるための電離放射線露光照射装置が必要である。これは、前工程の電離放射線マスキング装置において、トリミングマスクを取り外して、マスキングの際に用いる紫外光を全面に照射させるようにすればよい。なお、原版５自身の粘着性も低下させるため、原版５の複製フィルム１が密着する表面をフッ素系離型剤、シリコーン系離型剤等で予め離型処理をしておくことが望ましい。
【００１７】
ところで、原版５から複製フィルム１を剥離する方法として、単にその一端を上側へ引き上げたのでは、面内に剥離の速度差が生じ、剥離が止まるか遅い位置で剥離前線に沿ってスジ等の剥離ムラが発生してしまい、折角良好になされた複製に欠陥が生じる。すなわち、図４（ａ）に示すように、複製フィルム１の一端から上側へ引き上げると、最初は図の（１）の位置まで急激に剥離され、その位置で剥離が一旦止まり、次に、今度は図の（２）の位置まで急激に剥離される。このような連続的でない剥離が行われると、この場合、（１）及び（２）の位置の複製フィルム１にスジが付いてしまう。これを抑えるためには、本発明に基づいて、図４（ｂ）に示すように、圧着時（図２）と同様に、ローラー１８で複製フィルム１を押さえながら順次剥離するのが望ましい。
【００１８】
このようにして剥離した複製フィルム１は感光材料２面が露出しているので、これを巻き取るには、感光材料２面側に保護シートを貼り合わせる必要がある。そのためには、図４（ｂ）に示すように、一面に接着層又は粘着層を有する保護フィルム２０をローラー１８と反対に回転するローラー１９を経て剥離された複製フィルム１にその接着層又は粘着層を向けて貼り付けるようにする。この場合、複製フィルム１に保護フィルム２０を貼り合わせた後、その接着力を上げるために電離放射線処理を必要とする場合があり、そのような場合は、電離放射線照射装置を設ける必要がある。なお、保護フィルム２０を離型性の高いものとすることにより、複製フィルム１をシールタイプにすることができる。
【００１９】
以上の説明から明らかなように、本発明のホログラムの複製方法は、複製されるホログラムがシリンダーの円筒面に張り付けられてなり連続的に回転する円筒状のホログラム原版に、両面を支持体フィルムで挟んでなる感光材料フィルムから前記ホログラム原版側の支持体フィルムを剥離しながら前記感光材料フィルムを連続的に供給し、連続的に供給された前記感光材料フィルムを前記ホログラム原版に一方の支持体フィルムが剥離されて露出した面で連続的に圧着しながら張り付け、前記感光材料フィルムが張り付けられた側から複製用のレーザー光を連続的に照射して前記ホログラム原版に記録されたホログラムを前記感光材料フィルムに連続的に複製し、複製後の前記感光材料フィルムを前記ホログラム原版から前記感光材料フィルムが張り付けられた前記ホログラム原版に圧着されている剥離ローラを介して連続的に剥離し、前記ホログラム原版から連続的に剥離された前記感光材料フィルムの剥離面上に連続的に供給された保護フィルムを連続的に貼り付け、その後ホログラムが複製され、保護フィルムが貼り付けられた前記感光材料フィルムを連続的に巻き取ることを特徴とする方法である。
【００２０】
この場合、前記ホログラム原版のホログラムの表面が離型性を有する基材で保護されていることが望ましい。
【００２１】
また、前記ホログラム原版のホログラムが、それぞれ異なる回折波長あるいは回折角度を有する複数の層からなり、それら層の間及び上下の層との間にバリア層が設けられていることが望ましい。
【００２２】
また、前記感光材料フィルムがフォトポリマーからなることが望ましい。
【００２３】
また、両面を支持体フィルムで挟んでなる前記感光材料フィルムから前記ホログラム原版側の支持体フィルムを剥離しながら前記感光材料フィルムを連続的に供給する際に、供給される前記感光材料フィルムに付着した異物を取り除くためのクリーニング用粘着ローラー、又は、静電気による異物付着を防ぐ静電気除去装置の少なくとも一方を介在させることが望ましい。
【００２４】
また、前記複製用のレーザー光を連続的に照射して前記ホログラム原版に記録されたホログラムを前記感光材料フィルムに連続的に複製すると同時にもしくはそれに先立って、前記感光材料フィルムに前記感光材料フィルムが感光する光をパターン状に照射して、前記感光材料フィルムの感光性をパターン状に失わせるトリミングを行うことが望ましい。
【００２５】
また、前記複製用のレーザー光を連続的に照射して前記ホログラム原版に記録されたホログラムを前記感光材料フィルムに連続的に複製した後に、前記感光材料フィルムの前記ホログラム原版への粘着性を小さくする一様露光を行うことが望ましい。
【００２６】
また、前記保護フィルムが一面に接着層又は粘着層を有する保護フィルムからなり、前記ホログラム原版から連続的に剥離された前記感光材料フィルムの剥離面上に連続的に前記保護フィルムを供給して貼り付ける際に、前記保護フィルムの接着層又は粘着層を前記感光材料フィルムの剥離面に向けて貼り付けることが望ましい。
【００２７】
また、前記保護フィルムが貼り付けられた前記感光材料フィルムを連続的に巻き取る前に、前記保護フィルムに電離放射線を照射することが望ましい。
【００２８】
なお、ホログラム原版は、離型層／保護基材／接着剤層／ホログラム層／接着剤層／保護基材／光吸収層／接着剤層／（シリンダー）、離型層／保護基材／接着剤層／ホログラム層／接着剤層／保護基材／光吸収層／接着剤層／着色ガラス（シート）／接着剤層／（シリンダー）の順で一部もしくは全部が積層されてなることが望ましい。
【発明の効果】
【００２９】
本発明のホログラムの複製方法においては、円筒状のホログラム原版に感光材料フィルムをラミネートするとき気泡等のだき込みがなく、また、ホログラム原版から感光材料フィルムを剥離するとき、スジ等の剥離ムラが発生せず、かつ、この一連の複製動作を連続して行うことができるので、ゴミ、気泡等の異物による複製欠陥の発生がなく、また、剥離ムラのない良好な複製ホログラムを連続的に効率よく作製することができる。
【発明を実施するための最良の形態】
【００３０】
以下、本発明のホログラムの複製方法を実現するホログラム複製装置の実施例について説明する。
【００３１】
〔実施例１〕
図５に示すような光学系を用いて、リップマンホログラム（反射型ホログラム）原版を撮影する。すなわち、Ａｒレーザー２１を用い、それから発振された光はハーフミラー２２で２つの光束に分割され、一方の光はミラー２３、レンズ２４を経てピンホール２５に集光され、ピンホール２５から出射した発散光は感光材料２６の一方の側から斜めに入射される。また、分割された他方の光は、ミラー２７、２８、レンズ２９を経てピンホール３０に集光され、ピンホール３０から出射した発散光はコリメートレンズ３１で拡大した平行光になり、感光材料２６の他方の側から入射され、両方の光束は感光材料２６中で干渉し、その中に記録される。感光材料２６としては、米国デュポン社製Ｏｍｎｉｄｅｘ−３５２ホログラフィック記録フィルムを用いる。露光量は、Ａｒレーザー２１からの波長５１４ｎｍの光で３０ｍＪ／ｃｍ2 である。露光後、ホログラムが記録された感光材料２６に超高圧水銀灯で１００ｍＪ／ｃｍ2 の均一露光をし、２枚のトリアセチルセルロースフィルム間に光学接着剤（米国ノーランド社製ＮＯＡ−６１）で封止し、ホログラム原版３５とする。そして、このホログラム原版３５の複製用感光材料フィルムが密着される面をフッ素系離型剤、シリコーン系離型剤等で離型処理をしておく。
【００３２】
次に、図６（ａ）に示すような複製装置にこのホログラム原版３５を組み込む。この装置において、複製用感光材料フィルム１として、同図（ｂ）（１）に断面を示すように、支持体フィルム３／感光材料２／支持体フィルム４の３層構成のＯｍｎｉｄｅｘ−３５２ホログラフィック記録フィルムを用いる。また、保護フィルム５０として、同図（ｂ）（３）に断面を示すように、５０μｍ厚ＰＥＴ（ポリエチレンテレフタレート）５１／１μｍ厚光学接着剤（米国ノーランド社製ＮＯＡ−６１）５２／５０μｍ厚ＰＥＴ５３からなる保護フィルムを用いる。
【００３３】
この装置の構成を作用と共に説明すると、まず、複製用感光材料フィルム１がセットされた巻き出しローラー３２から送り出されたフィルム１は、１つのニップローラを構成するクリーナーローラー４４を通ってクリーニングされ、別のニップローラを構成する支持体フィルム剥離ローラー３３で片面の支持体フィルム３を剥離する。剥離された支持体フィルム３は巻き取りローラー３４で巻き取られる。一方、感光材料２面の露出したフィルム１は、圧着ローラー３７により原版シリンダー３５に張り付けられる。
【００３４】
その後、図示しない超高圧水銀灯からの紫外光４６をクロムトリミングマスクを通して投影露光することにより、感光材料２のラミネート領域の中心部のみを遮光し、それ以外の周囲部分に３０ｍＪ／ｃｍ2 の量で露光して感光性を失わせ、トリミング（マスキング）を行う。
【００３５】
次に、原版撮影時と共役なＡｒレーザー光４７をフィルム１側から原版シリンダー３５に照射し（照射量：３０ｍＪ／ｃｍ2 ）て複製を行う。
【００３６】
次に、剥離ローラー３７′で原版シリンダー３５から複製フィルム１を剥離する。レーザー光露光部と剥離ローラー３７′の間に一様に紫外線露光を行うＵＶ露光部４６′により紫外線露光を行い、剥離を容易にする。
【００３７】
次に、複製フィルム１の感光材料２面側に、接着層５２付き保護フィルム５０を更に別のニップローラーを構成するラミネートローラー３８で貼り合わせる。この際、巻き出しローラー４０から供給される保護フィルム５０のカバーシート５１（５０μｍ厚ＰＥＴ）は、剥離ローラー３９で剥離され、巻き取りローラー４１に巻き取られる。
【００３８】
保護フィルム５０を貼り合わせた複製フィルム１は、搬送用の別のニップローラー５４を経て紫外線照射器４２に入り、超高圧水銀灯からの紫外光を１００ｍＪ／ｃｍ2 の量露光された後、巻き取りローラー４３に巻き取られる。なお、剥離ローラー３３及び３９で発生する静電気を除去するために、それぞれの位置に帯電防止装置が取り付けられている。
【００３９】
このような装置において、図６（ａ）の（１）〜（５）における感光材料フィルム１、保護フィルム５０及びそれらを貼り合わせた状態の層構成は、同図（ｂ）のようになっている。なお、シートにカットした最終製品のカバーシート５３を剥離することにより、ホログラムシールとして物品に接着することができる。
【００４０】
以上のような構成のホログラム複製装置を用いると、ゴミ、気泡等の異物による複製欠陥の発生がなく、また、剥離ムラのない良好な複製ホログラムを連続的に効率よく作製することができる。
【００４１】
〔実施例２〕
図７に示すような光学系を用いて、フルカラーリップマンホログラム（反射型ホログラム）原版を作製する。まず、離型処理を施した５ｍｍ厚ガラス（原版保護ガラス）に米国デュポン社製Ｏｍｎｉｄｅｘ−７０５ホログラフィック記録フィルムをカバーシートを剥離してラミネートし、その後、そのホログラフィック記録フィルムのベースシートを剥離して、その面上に５μｍ厚ＰＶＡ（ポリビニルアルコール）フィルム（無延伸のものが望ましい。）をラミネートし、その積層体をインデックスマッチング液（キシレンが望ましい。）を介して無反射コート処理を施したガラス２枚で挟み込み、撮影乾板（感光材料）２６として、図示の位置にセットする。光学系は図５の場合とほぼ同様であるが、この場合はフルカラーのホログラムを撮影するため、３つのレーザーを用いる。すなわち、Ｒ用光源としてＫｒレーザー７１（６４７ｎｍ）を、Ｇ用光源としてＡｒレーザーを励起用レーザー７４とした色素レーザー７２（５７６ｎｍ）を、Ｂ用光源としてＡｒレーザー７３（４５８ｎｍ）を用い、これらからのレーザー光を１つの光路に合成するために、全反射ミラー７５及びダイクロイックミラー７６、７７を用いる。図示の配置の場合、ダイクロイックミラー７６は裏面に無反射コートを施した赤色狭帯域ミラーであり、ダイクロイックミラー７７は裏面に無反射コートを施した波長５００ｎｍ以上の光のみを選択的に反射するミラーであるが、レーザー７１〜７３の配置は図示のものに限定されず変更可能であり、その場合、全反射ミラー７５、ダイクロイックミラー７６、７７の配置及び反射帯域は変更する必要がある。
【００４２】
このような配置で、まずＫｒレーザー光（６４７ｎｍ）のみを使用してホログラムを記録する。露光エネルギーは３０ｍＪ／ｃｍ2 で、露光後、超高圧水銀灯で１００ｍＪ／ｃｍ2 の均一露光をする。次に、無反射コートガラス２枚を取り外し、インデックスマッチング液を乾燥させた後、ＰＶＡ膜面上に、前記と同様の方法でＯｍｎｉｄｅｘ−７０５、ＰＶＡ層を順次積層し、再度無反射ガラス２枚で挟み込み、撮影乾板２６とする。
【００４３】
レーザー光を色素レーザー光（５７６ｎｍ）に切り換え、同様に３０ｍＪ／ｃｍ2 均一露光し、超高圧水銀灯の均一露光をする。さらに、同様の工程を繰り返し、レーザー光をＡｒレーザー光（４５８ｎｍ）に切り換え、３回目の露光を行う。均一露光後、無反射ガラスを外し、インデックスマッチング液を乾燥後、５ｍｍ厚ガラスから剥離し、２枚のトリアセチルセルロースフィルムに光学接着剤（米国ノーランド社製ＮＯＡ−６１）を介して接着する。
【００４４】
さらに、一方のトリアセチルセルロースフィルムの表面を黒スプレー（ＳＳＰスプレー黒、アトム化学塗料（株）製）を均一に塗布、乾燥し、ハレーション防止層とする。また、他のトリアセチルセルロースフィルムの表面は、シリコーン系離型剤（ＫＥ４２ＴＳ’、信越シリコーン（株）製）を塗布し離型層とする。これを被複製原版３５とする。
【００４５】
次に、図６（ａ）に示すような複製装置にこのホログラム原版３５を組み込む。この装置において、複製用感光材料フィルム１として、同図（ｂ）（１）に断面を示すように、支持体フィルム３／感光材料２／支持体フィルム４の３層構成のＯｍｎｉｄｅｘ−７０５ホログラフィック記録フィルムを用いる。また、保護フィルム５０として、同図（ｂ）（３）に断面を示すように、５０μｍ厚ＰＥＴ（ポリエチレンテレフタレート）５１／１μｍ厚光学接着剤（米国ノーランド社製ＮＯＡ−６１）５２／５０μｍ厚ＰＥＴ５３からなる保護フィルムを用いる。
【００４６】
この装置の構成を作用と共に説明すると、まず、複製用感光材料フィルム１がセットされた巻き出しローラー３２から送り出されたフィルム１は、１つのニップローラを構成するクリーナーローラー４４を通ってクリーニングされ、別のニップローラを構成する支持体フィルム剥離ローラー３３で片面の支持体フィルム３を剥離する。剥離された支持体フィルム３は巻き取りローラー３４で巻き取られる。一方、感光材料２面の露出したフィルム１は、圧着ローラー３７により原版シリンダー３５に張り付けられる。
【００４７】
その後、図示しない超高圧水銀灯からの紫外光４６をクロムトリミングマスクを通して投影露光することにより、感光材料２のラミネート領域の中心部のみを遮光し、それ以外の周囲部分に３０ｍＪ／ｃｍ2 の量で露光して感光性を失わせ、トリミング（マスキング）を行う。
【００４８】
次に、原版撮影時と共役なＡｒレーザー光、Ｋｒレーザー光、色素レーザー光４７をフィルム１側から原版シリンダー３５に順に照射し（照射量：３０ｍＪ／ｃｍ2 ）て複製を行う。
【００４９】
次に、剥離ローラー３７′で原版シリンダー３５から複製フィルム１を剥離する。レーザー光露光部と剥離ローラー３７′の間に一様に紫外線露光を行うＵＶ露光部４６′により紫外線露光を行い、剥離を容易にする。
【００５０】
次に、複製フィルム１の感光材料２面側に、接着層５２付き保護フィルム５０を更に別のニップローラーを構成するラミネートローラー３８で貼り合わせる。この際、巻き出しローラー４０から供給される保護フィルム５０のカバーシート５１（５０μｍ厚ＰＥＴ）は、剥離ローラー３９で剥離され、巻き取りローラー４１に巻き取られる。
【００５１】
保護フィルム５０を貼り合わせた複製フィルム１は、搬送用の別のニップローラー５４を経て紫外線照射器４２に入り、超高圧水銀灯からの紫外光を１００ｍＪ／ｃｍ2 の量露光された後、巻き取りローラー４３に巻き取られる。なお、剥離ローラー３３及び３９で発生する静電気を除去するために、それぞれの位置に帯電防止装置が取り付けられている。
【００５２】
このような装置において、図６（ａ）の（１）〜（５）における感光材料フィルム１、保護フィルム５０及びそれらを貼り合わせた状態の層構成は、同図（ｂ）のようになっている。なお、シートにカットした最終製品のカバーシート５３を剥離することにより、ホログラムシールとして物品に接着することができる。
【００５３】
以上、本発明のホログラムの複製方法を適用したホログラム複製装置の実施例について説明してきたが、本発明はこの実施例に限定されず種々の変形が可能であると共に、その他の種々の用途に適用可能である。
【図面の簡単な説明】
【００５４】
【図１】本発明のホログラム複製方法を説明するための図である。
【図２】本発明に基づくフィルムラミネート方法を説明するための図である。
【図３】ホログラム複製の際の層構成を示す図である。
【図４】本発明に基づくフィルム剥離方法を説明するための図である。
【図５】本発明の１実施例におけるホログラム原版撮影光学系の構成を示す図である。
【図６】本発明の１実施例におけるホログラム複製装置の構成を示す図である。
【図７】本発明の別の実施例におけるホログラム原版撮影光学系の構成を示す図である。
【符号の説明】
【００５５】
１…感光材料フィルム
２…感光材料
３…支持体フィルム
４…支持体フィルム
５…ホログラム原版（原版シリンダー）
６…光学密着液
７…レーザー光
８…回折光
９…ゴミ
１０…ローラー
１１…無反射コートガラス
１２…光学密着液
１３…光吸収材料
１８…ローラー
１９…ローラー
２０…保護フィルム
２１…Ａｒレーザー
２２…ハーフミラー
２３…ミラー
２４…レンズ
２５…ピンホール
２６…感光材料
２７、２８…ミラー
２９…レンズ
３０…ピンホール
３１…コリメートレンズ
３２…巻き出しローラー
３３…支持体フィルム剥離ローラー
３４…巻き取りローラー
３５…ホログラム原版（原版シリンダー）
３７…圧着ローラー
３７′…剥離ローラー
３８…ラミネートローラー
３９…剥離ローラー
４０…巻き出しローラー
４１…巻き取りローラー
４２…紫外線照射器
４３…巻き取りローラー
４４…クリーナーローラー
４６…紫外光
４６′…ＵＶ露光部
４７…Ａｒレーザー光
５０…保護フィルム
５１…カバーシート
５２…接着層
５３…カバーシート
５４…ニップローラー
７１…Ｋｒレーザー
７２…色素レーザー
７３…Ａｒレーザー
７４…励起用レーザー
７５…全反射ミラー
７６、７７…ダイクロイックミラー